(57)【特許請求の範囲】
【請求項１】
レンズ部と該レンズ部を支持する支持部とを具備する発光素子用のレンズ体であって、該支持部は、前記レンズ部の底面および／または側面に接合する天板部および該天板部に結合し、発光素子を設置する基板に嵌合する嵌合部を有する脚部からなり、前記レンズ部の底面または前記天板部には、発光素子とレンズ部の底面または前記天板部との間の空気層による光のロスを排除するための透光性および弾性を有する低硬度材料からなる緩衝部が結合され、前記嵌合部の嵌合および前記緩衝部の弾性により脚部に抗力を発生させることのできる、前記レンズ体。
【請求項２】
低硬度材料が、ゴム類およびゲル類からの１種または２種以上である、請求項１に記載のレンズ体。
【請求項３】
低硬度材料が、フッ素樹脂のゲル、フッ素ゴム、シリコーンゲルおよびシリコーンゴムから選択される１種または２種以上である、請求項２に記載のレンズ体。
【請求項４】
レンズ部がエポキシ樹脂、フッ素樹脂、ガラス、シクロオレフィン共重合体樹脂、シリコーン樹脂およびシリコーンゴムのいずれかからなる、請求項１〜３のいずれかに記載のレンズ体。
【請求項５】
レンズ部がシリコーン樹脂またはシリコーンゴムからなり、緩衝部がシリコーンゴムからなる、請求項１に記載のレンズ体。
【請求項６】
請求項１〜５のいずれかに記載のレンズ体と発光素子とを備えた発光デバイス。
【請求項７】
下記工程を含む、請求項１に記載のレンズ体の製造方法。
（ａ）レンズ部と支持部とを具備するレンズ体の一部を成形する工程、および
（ｂ）前記レンズ部の底面または前記支持部の天板部に緩衝部を設ける工程。
【発明の詳細な説明】
【技術分野】
【０００１】
本発明は、発光素子用のレンズ体に関し、とくに発光ダイオード等の発光素子を用いた発光デバイスに好適に用いられるレンズ体に関する。
【背景技術】
【０００２】
発光ダイオード（ＬＥＤ：Ｌｉｇｈｔ  Ｅｍｉｔｔｉｎｇ  Ｄｉｏｄｅ）のような発光素子において、使用目的によっては、封止材上に発光した光の進行方向を規制するための集光レンズ体が設けられる場合がある（特許文献１）。このような集光レンズ体には、素材としてはエポキシ樹脂や、シクロオレフィン共重合体樹脂（以下、ＣＯＣ樹脂と言うことがある。）が用いられ、成形方法としてはトランスファー成形や射出成形が用いられている。ＬＥＤに用いられるこれらのアウターレンズ体は、ＬＥＤ光源の上に設置され用いられる（特許文献２〜４）。
【０００３】
これら従来のレンズ体においては、多くの場合、レンズ体と光源との間に空気層が設けられている。その理由は、空気層の断熱効果により、発光素子が発する熱や紫外線により上記エポキシ樹脂やＣＯＣ樹脂などレンズの素材である樹脂が劣化するのを防ぎ、また、発光素子に接続されているワイヤや発光素子自体を、レンズ体または他の部材（脚部等）との接触による物理的な破損から保護するためである。さらに、かかる空間を保持することを前提とすることによって、レンズ体を種々の大きさの発光素子に取り付けることが可能となる。
【０００４】
しかし、これらの従来のレンズ体には以下のような問題がある。すなわち、かかる空気層が存在するために、ＬＥＤ光源とレンズ体の間に生じる空気界面の存在によりレンズの入射光側表面で反射が生じ、透過光にロスが発生している。
かかる問題に対して適切な解決方法が見いだされていないため、上記のようなレンズ体においては、レンズ体の材料の劣化および光のロスのいずれもがないレンズ体を作製することができないのが現状である。
【先行技術文献】
【特許文献】
【０００５】
【特許文献１】特開平３−１１９７６９号公報
【特許文献２】特開２００３−３０７６６３号公報
【特許文献３】特開平１０−１５４８３２号公報
【特許文献４】特開２０００−１５０９６８号公報
【発明の概要】
【発明が解決しようとする課題】
【０００６】
本願発明は、レンズ部と発光素子との間で発生する光のロスがないレンズ体を提供することを目的とする。
また、発光素子の大きさや基板に設置された発光素子の高さのバラツキに影響されることなく効率よく設置できる発光素子用のレンズ体であり、振動などの機械的外力に対しても安定な設置状態が維持できる発光デバイスを製造することができる発光素子用のレンズ体を提供することを目的とする。
【課題を解決するための手段】
【０００７】
本出願人らは、上記課題に鑑み鋭意研究を重ねた結果、特定の部材をレンズ体に具備せしめることによって従来のレンズ体に必要とされていた発光素子とレンズ体との間の空気層を排除して、驚くべきことに上記課題が解決されることを見いだし、さらに研究を進めた結果本発明を完成するに至った。
【０００８】
すなわち、本発明は、以下の各発明に関する。
（１）レンズ部と該レンズ部を支持する支持部とを具備する発光素子用のレンズ体であって、該支持部は、前記レンズ部の底面および／または側面に接合する天板部および該天板部に結合し、発光素子基板に嵌合する嵌合部を有する脚部からなり、前記レンズ部の発光素子と対向するレンズ部の底面および／または前記天板部には、発光素子とレンズ部の底面および／または前記天板部との間の空気層による光のロスを排除するための透光性を有する低硬度材料からなる緩衝部を具備する前記レンズ体。
（２）低硬度材料が、ゴム類およびゲル類からの１種または２種以上である、前記レンズ体。
（３）ゲル類が、フッ素樹脂のゲルまたはシリコーン樹脂のゲルから選択される１種または２種以上である、前記レンズ体。
（４）レンズ部がレンズ部がエポキシ樹脂、フッ素樹脂、ガラス、ＣＯＣ樹脂およびシリコーン樹脂のいずれかからなる、前記レンズ体。
（５）レンズ部がシリコーン樹脂からなり、緩衝部がシリコーンゴムからなる、前記レンズ体。
（６）前記いずれかの記載のレンズ体と発光素子とを備えた発光デバイス。
（７）下記工程を含む、前記（１）に記載のレンズ体を製造する方法で、
（ａ）レンズ部と支持部とを具備するレンズ体を成形する工程、および
（ｂ）前記支持部の天板部に緩衝部を設ける工程。
【０００９】
本発明は、低硬度材料からなる透光性の緩衝部をレンズ体に具備せしめることによって従来のレンズ体に必要とされていた空気層を排除し、光のロスを減じることを可能とするものである。本発明のレンズ体においては前記のとおり透光性の緩衝部が設けられることによって、従来必要とされていた空気層が排除されていてもレンズ部と発光素子とは隔てられている。したがって、本発明のレンズ体においては、従来の空気層を具備するレンズ体と同等またはそれ以上に、レンズ体の材料の劣化が防止されることはいうまでもない。
【発明の効果】
【００１０】
（１）本発明によれば、発光素子から出た光がレンズ表面で反射することによる光のロスを、少なくとも従来のレンズ体より小さいかまたは実質的になくすことができるレンズ体が提供される。
（２）本発明のうち、低硬度材料が、ゴム類およびゲル類からの１種または２種以上であるものによれば、好ましい弾性による反発力により、発光素子の表面に低硬度材料が密着し、光のロスがさらに少なくなると同時に、振動に対しても安定した構造の発光デバイスが維持され、発光素子の表面も保護されるレンズ体が提供される。
（３）本発明のうち、ゲル類が、フッ素樹脂のゲルまたはシリコーン樹脂のゲルから選択される１種または２種以上であるものによれば、耐熱性が高まり、劣化のないレンズ体が提供される。
（４）本発明のうち、レンズ部がエポキシ樹脂、フッ素樹脂、ガラス、ＣＯＣ樹脂およびシリコーン樹脂のいずれかからなるものによれば、耐熱性があり、レンズ特性がよく、取り扱いに優れたレンズ体が提供される。
（５）本発明のうち、レンズ部がシリコーン樹脂からなり、緩衝部がシリコーンゴムからなるものによれば、さらに取り扱いに優れたレンズ体が提供される。
（６）本発明の上記いずれかのレンズ体と発光素子とを備えた発光デバイスによれば、レンズ部と発光素子との間で、発光素子から出た光がレンズ表面で反射することによる光のロスがなく、レンズ部の材料の劣化も従来のものと同等以下に抑えられる発光デバイスが提供される。また、発光素子の大きさや基板に設置された発光素子の高さのバラツキに影響されることなく効率よくレンズ体が基板に設置されて、振動などの機械的外力に対しても安定な設置状態を好ましく維持することができる。
（７）本発明のレンズ体の製造方法によれば、レンズ部の材料の劣化を防止し、発光素子の光のロスを、従来のレンズ体より小さいかまたは実質的になくすことができ、発光素子の基板への設置のバラツキがあっても安定した設置ができるレンズ体を効率よく製造することができる。
【図面の簡単な説明】
【００１１】
【図１】従来のレンズ体を示す図である。
【図２】本発明のレンズ体のうち、緩衝部が曲面を含み、発光素子を覆う形態を有する一態様を示す側面図である。
【図３】本発明のレンズ体のうち、緩衝部が曲面を含み、該緩衝部が発光素子に接している一態様を示す側面図である。
【図４】本発明のレンズ体のうち、緩衝部が平面を含み、発光素子を覆う形態を有する一態様を示す側面図である。
【図５】本発明のレンズ体のうち、緩衝部が平面を含み、該緩衝部が発光素子に接している一態様を示す側面図である。
【図６】本発明のレンズ体のうち、緩衝部が平面を含み、発光素子を覆う形態を有する他の一態様を示す側面図である。
【図７】本発明のレンズ体のうち、緩衝部が平面を含む他の一態様のうち、該緩衝部が発光素子に接している一態様を示す側面図である。
【図８】本発明のレンズ体のうち、天板部が中央部に空間を有するリング状のものの平面図およびレンズ部の中心を通るＡ−ａによる断面図である。
【図９】本発明のレンズ体のうち、天板部が中央部に空間を有するリング状である他の態様を示す側断面図である。
【発明を実施するための形態】
【００１２】
本発明において、「レンズ体」とは、光路を変える機能を持つ一般的に呼ばれるレンズ体自体のほかに、レンズ本体としてのレンズ部に加えて、該レンズ部に結合したそれ以外の部分からなるものを意味する。したがって、一般的に言う上記本体としてのレンズ体は、本発明において「レンズ部」と呼ぶ。
【００１３】
本発明において、「透光性」、「透光性がある」または「透光性を有する」とは、光を吸収または反射によって損失せしめることが実質的にないことを意味する。したがって、透光性があるものには、透明であるものや、特定の波長の光に対してのみ透過性を有するものが包含される。
【００１４】
本発明において、「支持部」とは、典型的には本発明のレンズ体を発光素子基板等に設置するための１つまたは２つ以上の部材であって、レンズ部の底面および／または側面に接合する天板部および該天板部に結合する脚部からなり、該脚部は発光素子基板を嵌合する嵌合部を具備する。
【００１５】
本発明において、「低硬度材料」とは、レンズ部の材料に比較して硬度が小さい材料を意味する。典型的には、ゲル類およびゴム類を含有する材料を意味する。なお、「ゲル」および「ゴム」とは、大変形させても元の形状に回復することができるゴム弾性を有する材料を意味し、最も硬度が小さい部類のものを「ゲル」と称し、ゴム状分子の網目状の架橋の数はゴムよりも少ないものをいう。「ゲル」より大きい硬度を有するものを「ゴム」という。また、ゴムより大きい硬度を有し、大変形させると構造が破壊したり形状が回復しないものは「樹脂」である。すなわち、本明細書において、「ゲル」、「ゴム」および「樹脂」とは、同一成分からなる材料であっても加えられる力に対して、変形する度合や硬度を指標として相対的に比較して用いることにより本発明の作用効果を実現することができる材料である。
【００１６】
以下に、本発明についてさらに詳細に説明する。
従来のレンズ体およびかかるレンズ体を用いる発光デバイスの例を図１に、本発明のレンズ体および本発明のレンズ体を用いて製造した発光デバイスの例を図２〜９に示した。
図２〜９に示されるように、本発明のレンズ体１は、レンズ部２およびレンズ部２に結合した支持部９を具備する発光素子用のレンズ体であって、支持部９はレンズ部２のレンズ底面１０または側面に接合する天板部３および天板部３に結合する脚部８からなる。レンズ底面１０と発光素子５との間には透光性を有する低硬度材料からなる緩衝部４が実質的に空気層のない状態で具備される。
【００１７】
かかる構造、とくに天板部３及び又はレンズ底面１０に結合し、レンズ部２のレンズ面に対向している緩衝部４を具備することによって、本発明のレンズ体１は発光素子５から発せられる光のロスを実質的になくすことができる。緩衝部４は低硬度材料からなるため、本発明のレンズ体は、緩衝部４と発光素子５とが密着することができ、外力に対しても構造が安定である。
【００１８】
本発明のレンズ体１には、図２〜７に示されるように、天板部３および発光素子基板に嵌合する嵌合部７を有する脚部８を具備する支持部９が設けられる。脚部８は嵌合部７を有することによって、発光素子５が設置されている基板６に簡便にレンズ体１の設置を可能にする。嵌合部７を脚部８に具備するものにおいては、嵌合部７が基板６に篏合することによって、レンズ部２と基板６との位置が定まり、緩衝部４と発光素子５とが密着され、空気層がより完全に排除されるため好ましい。脚部８の個数および形状は限定されないところ、レンズ部２や基板６の形状に応じて変更し得る。例えば、基板６の形状が方形の薄板である場合には、該薄板の四隅または四辺をそれぞれ支持するように、４本の脚部８を設ければよい。また、脚部８は２つ以上の平面状の部材であってもよいし、基板が円板状であれば、円弧状の曲面をなす柱であってもよいし、円柱であってもよく、またはそれらが脚部が一体となって空間を形成する形状であってもよい。
【００１９】
本発明の態様における天板部３の形状は図８および図９に示すように、レンズ部２への透光の障害とならないように中央部に空間を有するリング状になっている。かかる態様における天板部３は、レンズ底面１０の外周部の一部および／またはレンズ部２の側面に接合する形状を有する。なお、天板部の素材が透光性である場合は、天板部３はレンズ底面全体に接合する板状の形状であることも可能である。かかる場合には、緩衝部４は天板部３に接合される形態を採る。
また、本発明のレンズ体１における脚部８は、助剤の添加により、脚部のうちレンズ体に接していない部分を白色または黒色を包含する有色とし、レンズ体に接している部分を透明とすると、集光効率が高くなり好ましい。とくに脚部のうちレンズ体に接していない部分を白とした場合には、光が反射して戻されるため、集光効率がより高くなるため特に好ましい。
【００２０】
本発明のレンズ体において、緩衝部４と発光素子５とは、相互にわずかな圧力で圧着する状態または発光デバイスが許容する範囲内の圧力で密着する。かかる態様における緩衝部４の厚みは、レンズ底面と発光素子面との間に隙間（空気層）が実質的にない状態とする厚みであると好ましく、レンズ底面と発光素子上部との距離より若干大きい厚みであって、緩衝部が圧縮することによって、レンズ底面及び発光素子に圧着して空気層を排除することが好ましい。また、未使用時は不完全な接触状態であっても発光素子が発光したとき熱膨張によって、密着するものも本発明に包含される。緩衝部が圧縮して調節できる距離は、発光素子を設置した際の発光素子の基板からの高さのバラツキの範囲をカバーする距離であれば、発光ダイオードを効率よく製造することができるため好ましい。
緩衝部４の最大厚みは、特に限定されないが、適度に圧縮された状態で、レンズ底面と発光素子基板の間に設置できる厚さであることが好ましい。
【００２１】
かかる構成によって本発明のレンズ体においては、発光素子５から発せられる光のロスをより小さくすることができる。かかる態様においては、基板６を取り付けた際に、緩衝部４は発光素子５に接するか、発光素子５がわずかに侵入して接する状態であってもよく（図３、５および７）、または発光素子５によって部分的にもしくは全体が窪みを有する形状（図２、４および６）となっていてもよい。
【００２２】
また、緩衝部４の形状は限定されず、図２および３に示すような曲面を含む形状のほか、図４〜７に示すような平面を含む形状であってもよい。また、緩衝部４は、レンズ底面または発光素子と接する部分にのみ低硬度材料を用いたものであってもよい。
【００２３】
上記のとおり、本発明においては緩衝部の最大厚みを有する部分は典型的には発光素子に密着するため、緩衝部は材質として低硬度のものが好適に用いられる。かかる場合、発光素子およびその基板への設置がより容易であるうえに、外力に対しても安定な構造となり、また、発光素子の表面が保護されやすい。
【００２４】
本発明において緩衝部４に用いられる透光性を有する低硬度の材料には、多くの高分子物質が包含されるところ、ゴム類またはゲル類が好ましい。ゴム類には、天然ゴム、合成ゴムが包含される。合成ゴムとしては、イソプレンゴム、ブタジエンゴム、アクリルゴム、スチレンゴム、エチレンプロピレンゴム、ブチルゴム、ウレタンゴム、フッ素ゴムまたはシリコーンゴムが好ましく、耐熱性、化学的安定性の観点からフッ素ゴム、シリコーンゴムが好ましく、更に、架橋によってレンズ部との結合をさせやすい等の観点から、シリコーンゴムが最も好ましい。
また、緩衝部４の材料としてレンズ部の材料より屈折率が高いものは、発光素子５から発せられた光を反射することなく、より効率的にレンズ部２の方向に集光せしめることができるため好ましい。
【００２５】
シリコーンゴムとしては、その種類が特に限定されるものではなく、例えばジメチルポリシロキサンなど、シリコーン製造販売会社からシリコーンゴムコンパウンドとして市販されている各種製品を適宜選択して用いることができる。具体的には、例えば信越化学工業株式会社製のＫＥ−９５１Ｕ（商品名）、ＫＥ−５５０Ｕ（商品名）、東レ・ダウコーニング株式会社製のＳＨ−８５１Ｕ（商品名）、ＳＥ１７４０（商品名）、ＳＥ１８２１（商品名）、ＣＹ５２−２０５（商品名）、ＧＥ東芝シリコーン株式会社製のＴＳＥ−２２１−５Ｕ（商品名）等が挙げられる。これらのうち、ＣＹ５２−２０５は高粘度タイプであるため、ポッティング成形の際に表面張力により盛り上がった形状を成形しやすく、かかる形状のレンズ体の作製にも好適である。
ゲル類としてはシリコーンゲルが好ましい。シリコーンゲルの例としては、東レ・ダウコーニング株式会社製のＳＥ１８８０（商品名）、ＳＥ１８８６（商品名）、ＣＹ５２−２７６（商品名）が挙げられ、これらのうちＣＹ５２−２７６は接点障害となる低分子シロキサン対策品のため、電子部品の使用に適している。
シリコーンエラストマーを使用する場合、上記シリコーンゴムコンパウンドに、シリコーン製造販売会社により指定されている加硫剤と、必要に応じて着色料または顔料等とを配合し、均一に混練した後、所望の形状となるように加熱成形することによって、本発明における低硬度材料を得てもよい。
また、本発明の弾性体として、熱可塑性エラストマーも好適に用いられる。
【００２６】
なお、これらの低硬度の材料は、１種類を単独で用いることができるが、２種類以上のものを適切な割合で配合して用いてもよいし、硬度のある材料とともに層状に、弾性のある緩衝部として用いてもよい。
また、上記低硬度の材料には、ガラスファイバー、ガラスビーズ等の充填材、ＹＡＧ蛍光体などの無機蛍光顔料やペリレン系などの有機蛍光剤、紫外線防止剤、可塑剤、着色料、顔料等の補助剤を低硬度性および透光性を損なわない範囲で適宜添加して用いることができる。
【００２７】
本発明のレンズ体のレンズ部の材質は、樹脂、ガラス、ゴム等のうち、透光性を有する材料であればとくに限定されない。取り扱いの観点から、樹脂が好ましい。
本発明において、樹脂として用いられるものとして、天然樹脂にはロジン、アルカロイド樹脂が包含され、また、合成樹脂にはポリスチレン、ポリ塩化ビニル、透明ポリイミド、シクロオレフィン共重合体樹脂（ＣＯＣ樹脂（単一重合のシクロオレフィンポリマーも含む））、ポリエチレン、ポリエチレンテレフタレート、アクリル樹脂、ポリカーボネート、エポキシ樹脂、フッ素樹脂、シリコーン樹脂（シリコーンレジン）、ＡＢＳ樹脂、ＰＢＴ樹脂、エポキシ樹脂、ＢＰＴ樹脂、ＰＰＳ樹脂が例示される。これらのうち、合成樹脂が加工のし易さの観点から好ましく、透光性、耐熱性の観点からフッ素樹脂、シリコーン樹脂、またはＣＯＣ樹脂がより好ましく、耐熱性、透光性、加工性の点からシリコーン樹脂は更に好ましい。とくに、低硬度材料がシリコーンゴムまたはシリコーンゲルの場合はその組み合わせにおいて加工性が極めて良好である。シリコーン樹脂の中でも、紫外線透過率が高く、黄変等の経時変化が少ないジメチルシリコーンが好ましく、強度に優れるフェニルシリコーン、フッ素シリコーンがこれに次ぐ。
【００２８】
本発明においては、樹脂材料として液状のものが好適に用いられる。液状樹脂材料を硬化させることにより、樹脂製のレンズ部を得ることができる。樹脂材料としてシリコーン樹脂を用いた場合、特に、液状の付加反応硬化型のシリコーン樹脂組成物が好ましい。液状の付加反応硬化型のシリコーン樹脂組成物は、表面も内部も均一に硬化させることができるので好適である。
【００２９】
上記付加反応型のシリコーン樹脂組成物としては、熱硬化により透明なシリコーン樹脂を形成するものであれば特に制限されないが、例えば、オルガノポリシロキサンをベースポリマーとし、オルガノハイドロジェンポリシロキサンおよび白金系触媒等の重金属系触媒を含むものが挙げられる。
【００３０】
上記オルガノポリシロキサンとしては、下記平均単位式
ＲａＳｉＯ（４−ａ）／２
（式中、Ｒは非置換又は置換一価炭化水素基で、好ましくは炭素数１〜１０、特に１〜８のものである。ａは０．８〜２、特に１〜１．８の正数である。）
で示されるものが挙げられる。ここで、Ｒとしてはメチル基、エチル基、プロピル基、ブチル基等のアルキル基、ビニル基、ブテニル基等のアルケニル基、フェニル基、トリル基等のアリール基、ベンジル基等のアラルキル基や、これらの炭素原子に結合した水素原子の一部または全部がハロゲン原子で置換されたクロロメチル基、クロロプロピル基、３，３，３−トリフルオロプロピル基、シアノ基置換炭化水素基などが挙げられ、Ｒは同一であっても異なっていてもよいが、Ｒとしてフェニル基を含むもの、特に、全Ｒのうち５〜８０モル％がフェニル基であるものが、光学レンズ体の耐熱性及び透明性の点から好ましい。
【００３１】
また、Ｒとしてビニル基等のアルケニル基を含むもの、特に全Ｒのうち１〜２０モル％がアルケニル基であるものが好ましく、中でもアルケニル基を１分子中に２個以上有するものが好ましく用いられる。このようなオルガノポリシロキサンとしては、例えば、末端にビニル基等のアルケニル基を有するジメチルポリシロキサンやジメチルシロキサン・メチルフェニルシロキサン共重合体等の末端アルケニル基含有ジオルガノポリシロキサンが挙げられる。
【００３２】
一方、オルガノハイドロジェンポリシロキサンとしては、３官能以上（即ち、１分子中にケイ素原子に結合する水素原子（Ｓｉ−Ｈ基）を３個以上有するもの）が好ましく、例えば、メチルハイドロジェンポリシロキサン、メチルフェニルハイドロジェンポリシロキサン等が挙げられ、特に、常温で液状のものが好ましい。また、触媒としては、白金、白金化合物、ジブチル錫ジアセテートやジブチル錫ジラウリレート等の有機金属化合物、又はオクテン酸錫のような金属脂肪酸塩などが挙げられる。これらオルガノハイドロジェンポリシロキサンや触媒の種類や量は、架橋度や硬化速度を考慮して適宜決定すればよい。また、上記成分以外に、得られるシリコーン樹脂の強度や透明度を損なわない程度に充填剤、耐熱材、可塑剤等を添加してもよい。上記シリコーン樹脂組成物としては、特開２００４−１８６１６８号公報または特開２００４−２２１３０８号公報に開示されているシリコーンレジン素材も使用できる。また、信越化学工業株式会社製ＫＪＲ６３２（商品名）、ＳＣＲ−１００４（商品名）、ＳＣＲ−１０１１（商品名）、Ｘ３２−２５３５／ＫＥＲ−２６６７Ｂ（商品名）等の市販品も用いることができる。
本発明におけるレンズ部の形状としては、とくに限定されない。凸レンズ、凹レンズ、またはこれらのフレネルレンズ、かまぼこ型レンズであってもよい。材質に樹脂を用いる場合は、フレネルレンズ、かまぼこ型レンズ等異形レンズとの組み合わせにおいて好ましい。
【００３３】
本発明のレンズ体の製造方法は特に限定されないが、下記工程（ａ）〜（ｄ）を含む方法によって好適に製造することができる：
（ａ）レンズ部の材料を成形型に仕込み、レンズ部を成形する工程、
（ｂ）脚部の材料を成形型に仕込み、脚部を成形する工程、
（ｃ）前記レンズ部と脚部とを接着する工程、および
（ｄ）緩衝部を設ける工程。
【００３４】
かかる製造方法は、より具体的には、例えば下記工程を含む方法であってもよい。
（ａ）上下２枚型において、下型としての成形型にレンズ部の材料を仕込み、レンズ部を成形する工程、
（ｂ）下型から前記レンズ部を取り出さずに、上型を、支持部を成形する成形型に入れ替える工程、
（ｃ）支持部を成形するための材料を前記支持部を成形する成形型に仕込み、前記支持部をレンズ部と一体的に成形する工程、
（ｄ）支持部の天板部に緩衝部を設ける工程。
【００３５】
本発明における下型としての成形型は、レンズ部キャビティ部を具備するものである。
【００３６】
本発明の製造方法においては、前述の樹脂を用いて製造する場合、液状のものが好適に用いられる。液状樹脂材料を硬化させることにより、樹脂製のレンズ部を得ることができる。樹脂材料としてシリコーン樹脂を用いた場合、特に、液状の付加反応硬化型のシリコーン樹脂組成物が好ましい。液状の付加反応硬化型のシリコーン樹脂組成物は、表面も内部も均一に硬化させることができるので好適である。
【００３７】
上記付加反応型のシリコーン樹脂組成物としては、熱硬化により透明なシリコーン樹脂を形成するものであれば特に制限されないが、例えば、オルガノポリシロキサンをベースポリマーとし、オルガノハイドロジェンポリシロキサンおよび白金系触媒等の重金属系触媒を含むものが挙げられる。より詳細には、上記のとおりのものが、本発明の製造方法においても好適に用いられる。
【００３８】
本発明の製造方法においては、支持部の材料は限定されず、エポキシ樹脂、ＣＯＣ樹脂、ゴム類、熱可塑性エラストマー等が用いられる。ゴム類には、天然ゴム、合成ゴムが包含される。合成ゴムとしては、イソプレンゴム、ブタジエンゴム、アクリルゴム、スチレンゴム、エチレンプロピレンゴム、ブチルゴム、ウレタンゴム、フッ素ゴム、シリコーンゴムが好ましく、耐熱性、化学的安定性の観点からフッ素ゴム、シリコーンゴムが好ましく、架橋によってレンズ部との結合をさせやすい等の観点から、シリコーンゴムが最も好ましい。
【００３９】
なお、これらの脚部の材料は、１種類を単独で用いることができるが、２種類以上のものを適切な割合で用いてもよい。
また、上記脚部の材料には、充填剤、可塑剤、着色料、顔料等の補助剤を適宜添加して用いることもできる。これらの補助剤の例として、ガラスファイバー、ガラスビーズ等の充填剤、ステアリン酸等の可塑剤、カーボンブラック、酸化チタン、ベンガラなどの着色料、およびＹＡＧ蛍光体などの蛍光顔料が挙げられる。
【００４０】
本発明の製造方法における成形方法としては、トランスファー成形、インジェクション成形、コンプレッション成形、（真空）注型成形、２色成形、インサート成形、ポッティング成形、ＬＩＭ成形等が挙げられる。成形方法は製品形状、素材により適宜選択できるが、コンプレッション成形が好ましい。
【００４１】
本発明の製造方法における、レンズ部と支持部、支持部と緩衝部、或いはレンズ部と緩衝部とを接着する工程としては、インサート成形が挙げられる。架橋接着を含むものが、強度の観点から好ましい。また、架橋接着剤として接着用未加硫ゴムまたは、プライマー、過酸化物、カップリング材等が挙げられるが、シリコーンとの相性からシランカップリング剤が好ましい。
【００４２】
緩衝部を設ける工程は限定されないが、ポッティングが簡便であるため好適である。また、ポッティングは、レンズ部またはレンズ体を成形型から取り出す前後のいずれに行うことも可能であるが、レンズ部またはレンズ体を再度並べる手間が省けるため、成形型から取り出す前に行うことは好ましい。
【００４３】
以下に、実施例を挙げて本発明を具体的に説明するが、本発明は下記実施例に限定されるものではない。
【００４４】
（実施例１）
上下２枚型のうち、下型にレンズ部キャビティ部を有する金型を用いてシリコーンレジンレンズ部を成形した。次に、下型からレンズ部を取り出さずに、上型を支持部を成形する金型に入れ替え、シリコーンゴムを金型に仕込み、コンプレッション成形により成形した。架橋接着によりシリコーンレジンレンズ部と支持部とを接着した。続いて、ポッティングにより、支持部に緩衝部を設けた。
上記レンズ体は、シリコーンレジンをレンズ部に、シリコーンゴムを緩衝部に使用することにより、エポキシ樹脂やＣＯＣ樹脂より耐熱、耐紫外線性に優れるのみならず、緩衝部を設けることによってさらに耐久性が高められ、かつ空気層を排除したため表面反射ロスが小さいレンズ体である。
【産業上の利用可能性】
【００４５】
本発明によれば、光路におけるレンズ部と発光素子との間の空気層を排除したためレンズ部での表面反射ロスが小さいレンズ体が提供される。
また、発光素子とレンズ部との間の低硬度材料からなる緩衝部を具備することおよびレンズ部に接合された、嵌合部を有する脚部を有する支持部を有することにより、該嵌合部が発光素子基板に嵌合することにより脚部が基板に固定され、レンズ部と発光素子基板との距離が一定となり、一方で緩衝部の弾性との間で脚部に抗力が発生して、本発明の発光素子用レンズ体は振動などの外力に対しても安定した発光デバイスを提供することができるレンズ体である。
さらに、発光素子に圧着する材料は、低硬度材料であるので、発光素子を傷つけない。
また、発光素子とレンズ部は緩衝部を隔てて隔離されているため、従来の発光素子用レンズと同程度以上にレンズ部の劣化を防止することができる。
したがって、本発明は、レンズ体産業、照明装置産業および関連産業の発展に貢献するところ大である。
【符号の説明】
【００４６】
１  レンズ体
２  レンズ部
３  天板部
４  緩衝部
５  発光素子
６  基板
７  嵌合部
８  脚部
９  支持部
１０  レンズ底面
【図１】
0005536021.tif 000002
【図２】
0005536021.tif 000003
【図３】
0005536021.tif 000004
【図４】
0005536021.tif 000005
【図５】
0005536021.tif 000006
【図６】
0005536021.tif 000007
【図７】
0005536021.tif 000008
【図８】
0005536021.tif 000009
【図９】
0005536021.tif 000010